(57)【要約】    【課題】  オゾン発生器の交換時期の管理が容易であり、オゾン発生装置のレンタル供給時の課金管理にも活用できる浄化槽エアポンプ用オゾン発生装置を提供する。    【解決手段】  ケーシング２に、浄化槽用エアポンプの吐出口と接続される吸気継ぎ手３と、ケーシング２内部のオゾン発生器６のエア流路終端に接続される吐出継ぎ手４が設けられ、ケーシング２内にオゾン発生器６の作動時間を監視・記憶する制御部７と、ケーシング２の外表面にオゾン発生器６の作動時間を表示する表示部５を設けてなる浄化槽エアポンプ用オゾン発生装置。    【選択図】  図２
2006110453.tif 000002
【特許請求の範囲】
【請求項１】
ケーシングに、エアポンプの吐出口と接続される吸気継ぎ手と、ケーシング内部のオゾン発生器のエア流路終端に接続される吐出継ぎ手が設けられ、ケーシング内に上記オゾン発生器の作動時間を監視・記憶する制御部と、ケーシング外表面に上記オゾン発生器の作動時間を表示する表示部を設けてなる浄化槽エアポンプ用オゾン発生装置。
【請求項２】
ケーシングの上面にエアポンプを設置し、このエアポンプの吐出口と吸気継ぎ手を接続してなる請求項１記載の浄化槽エアポンプ用オゾン発生装置。
【発明の詳細な説明】
【技術分野】
【０００１】
本発明は、汚水浄化槽用エアポンプに用いるオゾン発生装置に関する。
【背景技術】
【０００２】
浄化槽においてオゾンを利用した浄化・脱臭システムとして、オゾン発生装置を地上のエア供給配管の途中に設けて、発生させたオゾンをエアポンプにて浄化槽内に送り込む方法が知られている。（特許文献１及び特許文献２参照）。
【特許文献１】特開２０００−２３３１９２号公報
【特許文献２】特開２００１−７９５７７号公報
【発明の開示】
【発明が解決しようとする課題】
【０００３】
一般にオゾン発生器（オゾナイザー）は、使用する温度・湿度による影響で、性能が経時的に劣化する。
従来、オゾン発生器の交換時期の目安（装置の使用実績）としては、使用者若しくは装置設置・管理者の作動開始年月日の記録若しくは記憶等に頼るとことが多く、不確かになりがちであり、オゾン発生器の交換時期を正確に把握できないという問題があった。
【０００４】
本発明は、オゾン発生器の的確な交換時期の目安とするためのオゾン発生器自体の作動時間（日数等）を正確に把握・記録して表示されるので、交換時期の管理が容易で、また、オゾン発生器の作動時間が認識・管理できることによりオゾン発生装置のレンタル供給時の課金管理にも活用できる浄化槽エアポンプ用オゾン発生装置を提供するものである。
【課題を解決するための手段】
【０００５】
本発明は、次のものに関する。
（１）ケーシングに、エアポンプの吐出口と接続される吸気継ぎ手と、ケーシング内部のオゾン発生器のエア流路終端に接続される吐出継ぎ手が設けられ、ケーシング内に上記オゾン発生器の作動時間を監視・記憶する制御部と、ケーシング外表面に上記オゾン発生器の作動時間を表示する表示部を設けてなる浄化槽エアポンプ用オゾン発生装置。
（２）ケーシングの上面にエアポンプを設置し、このエアポンプの吐出口と吸気継ぎ手を接続してなる上記（１）記載の浄化槽エアポンプ用オゾン発生装置。
（作用）
【０００６】
制御部は、オゾン発生器への通電（作動）時間を計時し、経過時間を不揮発性メモリに逐次記憶する。記憶された経過時間は、ケーシングの外表面に設けた表示部に表示する。
【発明の効果】
【０００７】
本発明の浄化槽エアポンプ用オゾン発生装置によれば、オゾン発生器交換の際の目安となるオゾン発生器の作動時間（日数等）をケーシングの外表面に設けた表示部で、正確に把握・確認できるので、オゾン発生装置の交換時期の管理が容易となり、また、オゾン発生装置の作動時間が認識・管理できるのでオゾン発生装置のレンタル供給時の課金管理にも活用できる。
【発明を実施するための最良の形態】
【０００８】
本発明における浄化槽エアポンプ用オゾン発生装置は、ケーシング内部にオゾン発生器の作動時間（日数など）を監視・記憶するための制御部が設けられ、ケーシング上面などの表面側には、ケーシング内の制御部に接続され、オゾン発生器の作動時間を表示するための表示部が設けられる。
【０００９】
作動時間（使用時間実績）の記憶は、不揮発性メモリを採用し、一般的なＥＥＰＲＯＭが用いられる。制御部にこのＥＥＰＲＯＭを搭載し、かつこの不揮発性メモリに記憶したデータを消去する機能も持たせることで、記憶時間の初期化も可能とするのが好ましい。  そうすることで、本装置をレンタル製品として貸し出し、実際の使用時間（日数等）に応じた費用請求（課金）が可能となる。なお、この場合、その消去操作は、ケーシング内に密に設けておくことにより、不用意に記憶初期化されることを防止できるようにするのが好ましい。
【実施例】
【００１０】
以下、図１〜図４を参照しながら本発明による浄化槽用エアポンプに用いるオゾン発生装置の実施例を詳細に説明する。
図１は本発明によるオゾン発生装置の斜視図、図２は図１に示すオゾン発生装置の内部構造図、図３は本発明によるオゾン発生装置のケーシング外表面に設けられオゾン発生器の作動時間（日数）を表示する表示部を示し、図３（ａ）は表示部の全点灯状態の詳細図、図３（ｂ）は３０日経過時の表示状態の詳細図、図４は本発明によるオゾン発生装置のケーシング上面にエアポンプ（ブロワ本体）を搭載設置して接続した実施例による斜視図である。
【００１１】
図１において、エア配管接続継ぎ手は、ケーシング２の上面に吸気継ぎ手３が、また、ケーシング２の側面に吐出継ぎ手４が配置して設けられ、さらに、ケーシング２の上面には、後述するオゾン発生器（オゾナイザー）６の動作（使用）日数を表示するための表示部５が設けられている。
図２に示すように、上記のケーシング２内部には、オゾン発生器（オゾナイザー）６、及び制御部７が設けられており、そのエア配管経路は、吸気継ぎ手３の下流にオゾン発生器（オゾナイザー）６、そして終端は吐出継ぎ手４に接続した経路となっている。
【００１２】
上記の制御部７には、オゾン発生器（オゾナイザー）６及び表示部５が接続されており、オゾン発生器（オゾナイザー）６の運転日数監視と監視日数の表示を行う。運転経過日数は、逐次不揮発性メモリであるＥＥＰＲＯＭ（同制御部に搭載）に記憶する。ＥＥＰＲＯＭに記憶されたデータは、制御部７への電源供給が絶たれても保持できる。
【００１３】
次ぎに、動作日数表示方法の実施例について説明すると、表示部５は、制御部７と電気的に接続され、オゾン発生器（オゾナイザー）６の作動日数（使用日数）を表示するようになっている。
ここで、図３に表示部５の日数表示の詳細を示し、図３（ａ）は表示部の全点灯状態（３桁表示）であり、図３（ｂ）は３０日経過時の表示例である。
【００１４】
図４はオゾン発生装置のケーシング２上面にエアポンプ（ブロワ本体）８を搭載設置する場合の実施例を示す斜視図で、オゾン発生装置１における吸気継ぎ手３がエアポンプ（ブロワ本体）８に接続される。
【図面の簡単な説明】
【００１５】
【図１】本発明による浄化槽エアポンプ用オゾン発生装置の斜視図である。
【図２】図１に示したオゾン発生装置の内部構造図である。
【図３】オゾン発生装置の表示部における作動日数の表示を示し、（ａ）は表示部の全点灯状態を示す詳細図、図３（ｂ）は３０日経過時の表示状態を示す詳細図である。
【図４】本発明によるオゾン発生装置のケーシング上面にエアポンプを搭載設置して接続した実施例の斜視図である。
【符号の説明】
【００１６】
１  オゾン発生装置                    ２  ケーシング
３  吸気継ぎ手                        ４  吐出継ぎ手
５  表示部                            ６  オゾン発生器（オゾナイザー）
７  制御部                            ８  エアポンプ（ブロワ本体）
【図１】
2006110453.tif 000003
【図２】
2006110453.tif 000004
【図３】
2006110453.tif 000005
【図４】
2006110453.tif 000006